(57)【要約】【課題】効率的に対象物を所定の大きさで投写させることが可能なプロジェクタおよびプロジェクタの投写方法を提供することを目的とする。【解決手段】プロジェクタ１は、距離取得手段で取得する、スクリーン２００までの距離データと、画像情報に挿入されている所定の対象物Ｔと補助対象物Ｍに対して補助対象物取得手段で取得する、補助対象物データと、大きさデータ取得部で取得する、補助対象物記憶部で記憶する補助対象物データに対応した大きさデータとに基づき、画像制御部で、補助対象物Ｍが補助対象物Ｍの大きさデータと略一致する大きさとなるようにスクリーン２００へ投写させるための、ズームレンズ６１に対する新たなズームデータを演算（算出）する。そして、算出したズームデータに基づいて、ズームレンズ駆動部１００でズームレンズ６１を駆動する。【選択図】図１
2008233465.tif 000002
【特許請求の範囲】
【請求項１】
光源から射出される光束を、画像情報に基づいて光変調装置で変調して光学像を形成し、投写レンズを介して投写対象面に映像として投写するプロジェクタであって、
前記投写対象面までの距離データを取得する距離取得手段と、
前記画像情報に挿入されている所定の対象物と補助対象物に対し、当該補助対象物を検出して補助対象物データを取得する補助対象物取得手段と、
前記補助対象物の大きさデータを記憶する補助対象物記憶部と、
前記補助対象物記憶部から前記補助対象物データに対応した前記大きさデータを取得する大きさデータ取得部と、
前記距離取得手段で取得した前記距離データと、前記補助対象物取得手段で取得した前記補助対象物データと、前記大きさデータ取得部で取得した前記補助対象物の前記大きさデータと、に基づき、前記補助対象物が前記補助対象物の前記大きさデータと略一致する大きさとなるように前記投写対象面へ投写させるための、前記投写レンズに対するズームデータを演算して制御を行なう画像制御部と、
前記画像制御部で演算された前記ズームデータに基づいて前記投写レンズを駆動する投写レンズ駆動部と、を有することを特徴とするプロジェクタ。
【請求項２】
光源から射出される光束を、画像情報に基づいて光変調装置で変調して光学像を形成し、投写レンズを介して投写対象面に映像として投写するプロジェクタであって、
前記投写対象面までの距離データを取得する距離取得手段と、
前記投写レンズのズームデータを取得するズーム取得手段と、
前記画像情報に挿入されている所定の対象物と補助対象物に対し、前記対象物を検出して対象物データを取得する対象物取得手段と、
前記画像情報に挿入されている所定の前記対象物と前記補助対象物に対し、当該補助対象物を検出して補助対象物データを取得する補助対象物取得手段と、
前記補助対象物の大きさデータを記憶する補助対象物記憶部と、
前記補助対象物記憶部から前記補助対象物データに対応した前記大きさデータを取得する大きさデータ取得部と、
前記距離取得手段で取得した前記距離データと、前記ズーム取得手段で取得した前記ズームデータと、前記対象物取得手段で取得した前記対象物データと、前記補助対象物取得手段で取得した前記補助対象物データと、前記大きさデータ取得部で取得した前記補助対象物の前記大きさデータと、に基づき、前記補助対象物が前記補助対象物の前記大きさデータと略一致する大きさとなるように前記投写対象面へ投写させるための、前記光変調装置の画像サイズに対する前記補助対象物データの画像サイズのズームデータを演算し、当該ズームデータに基づき、前記光変調装置に対して前記対象物を含む所定領域をズームさせた画像情報を送る制御を行なう画像制御部と、を有することを特徴とするプロジェクタ。
【請求項３】
請求項１に記載のプロジェクタであって、
前記距離取得手段は、前記投写対象面までの距離情報を検出する距離検出部と、当該距離検出部で検出した前記距離情報を前記距離データとして処理する距離処理部と、を有し、
前記補助対象物取得手段は、前記画像情報から所定の前記補助対象物の補助対象物情報を検出する補助対象物検出部と、当該補助対象物検出部で検出した前記補助対象物情報を前記補助対象物データとして処理する補助対象物処理部と、を有することを特徴とするプロジェクタ。
【請求項４】
請求項２に記載のプロジェクタであって、
前記距離取得手段は、前記投写対象面までの距離情報を検出する距離検出部と、当該距離検出部で検出した前記距離情報を前記距離データとして処理する距離処理部と、を有し、
前記ズーム取得手段は、前記投写レンズのズーム情報を検出するズーム検出部と、当該ズーム検出部で検出した前記ズーム情報を前記ズームデータとして処理するズーム処理部と、を有し、
前記対象物取得手段は、前記画像情報から所定の前記対象物の対象物情報を検出する対象物検出部と、当該対象物検出部で検出した前記対象物情報を前記対象物データとして処理する対象物処理部と、を有し、
前記補助対象物取得手段は、前記画像情報から所定の前記補助対象物の補助対象物情報を検出する補助対象物検出部と、当該補助対象物検出部で検出した前記補助対象物情報を前記補助対象物データとして処理する補助対象物処理部と、を有することを特徴とするプロジェクタ。
【請求項５】
請求項３に記載のプロジェクタであって、
前記距離検出部は、光の反射を利用する距離センサを有することを特徴とするプロジェクタ。
【請求項６】
請求項４に記載のプロジェクタであって、
前記距離検出部は、光の反射を利用する距離センサを有し、
前記ズーム検出部は、前記投写レンズの移動位置を検出する位置センサを有することを特徴とするプロジェクタ。
【請求項７】
請求項４に記載のプロジェクタであって、
前記距離検出部は、光の反射を利用する距離センサを有し、
前記ズーム検出部は、前記投写対象面に投写されている投写サイズを検出する撮像センサを有することを特徴とするプロジェクタ。
【請求項８】
請求項１〜請求項７のいずれか一項に記載のプロジェクタであって、
前記画像に含まれる前記補助対象物は、前記対象物の大きさを決めるためのメジャーであることを特徴とするプロジェクタ。
【請求項９】
プロジェクタの投写方法であって、
投写対象面までの距離データを取得する距離取得工程と、
画像情報に挿入されている所定の対象物と補助対象物に対し、当該補助対象物を検出して補助対象物データを取得する補助対象物取得工程と、
前記補助対象物の大きさデータを記憶する補助対象物記憶工程と、
前記補助対象物記憶工程で記憶する前記大きさデータから前記補助対象物データに対応した前記大きさデータを取得する大きさデータ取得工程と、
前記距離取得工程で取得した前記距離データと、前記補助対象物取得工程で取得した前記補助対象物データと、前記大きさデータ取得工程で取得した前記補助対象物の前記大きさデータと、に基づき、前記補助対象物が前記補助対象物の前記大きさデータと略一致する大きさとなるように前記投写対象面へ投写させるための、前記投写レンズに対するズームデータを演算して制御を行なう画像制御工程と、
前記画像制御工程で演算された前記ズームデータに基づいて前記投写レンズを駆動する投写レンズ駆動工程と、を有することを特徴とするプロジェクタの投写方法。
【請求項１０】
プロジェクタの投写方法であって、
投写対象面までの距離データを取得する距離取得工程と、
投写レンズのズームデータを取得するズーム取得工程と、
画像情報に挿入されている所定の対象物と補助対象物に対し、前記対象物を検出して対象物データを取得する対象物取得工程と、
前記画像情報に挿入されている所定の前記対象物と前記補助対象物に対し、当該補助対象物を検出して補助対象物データを取得する補助対象物取得工程と、
前記補助対象物の大きさデータを記憶する補助対象物記憶工程と、
前記補助対象物記憶工程で記憶する前記大きさデータから前記補助対象物データに対応した前記大きさデータを取得する大きさデータ取得工程と、
前記距離取得工程で取得した前記距離データと、前記ズーム取得工程で取得した前記ズームデータと、前記対象物取得工程で取得した前記対象物データと、前記補助対象物取得工程で取得した前記補助対象物データと、前記大きさデータ取得工程で取得した前記補助対象物の前記大きさデータと、に基づき、前記補助対象物が前記補助対象物の前記大きさデータと略一致する大きさとなるように前記投写対象面へ投写させるための、光変調装置の画像サイズに対する前記補助対象物データの画像サイズのズームデータを演算し、当該ズームデータに基づき、前記光変調装置に対して前記対象物を含む所定領域をズームさせた画像情報を送るように制御を行なう画像制御工程と、を有することを特徴とするプロジェクタの投写方法。
【請求項１１】
請求項９に記載のプロジェクタの投写方法であって、
前記距離取得工程は、前記投写対象面までの距離情報を検出する距離検出工程と、当該距離検出工程で検出した前記距離情報を前記距離データとして処理する距離処理工程と、を有し、
前記補助対象物取得工程は、前記画像情報から所定の前記補助対象物の補助対象物情報を検出する補助対象物検出工程と、当該補助対象物検出工程で検出した前記補助対象物情報を前記補助対象物データとして処理する補助対象物処理工程と、を有することを特徴とするプロジェクタの投写方法。
【請求項１２】
請求項１０に記載のプロジェクタの投写方法であって、
前記距離取得工程は、前記投写対象面までの距離情報を検出する距離検出工程と、当該距離検出工程で検出した前記距離情報を前記距離データとして処理する距離処理工程と、を有し、
前記ズーム取得工程は、前記投写レンズのズーム情報を検出するズーム検出工程と、当該ズーム検出工程で検出した前記ズーム情報を前記ズームデータとして処理するズーム処理工程と、を有し、
前記対象物取得工程は、前記画像情報から所定の前記対象物の対象物情報を検出する対象物検出工程と、当該対象物検出工程で検出した前記対象物情報を前記対象物データとして処理する対象物処理工程と、を有し、
前記補助対象物取得工程は、前記画像情報から所定の前記補助対象物の補助対象物情報を検出する補助対象物検出工程と、当該補助対象物検出工程で検出した前記補助対象物情報を前記補助対象物データとして処理する補助対象物処理工程と、を有することを特徴とするプロジェクタの投写方法。
【発明の詳細な説明】
【技術分野】
【０００１】
本発明は、プロジェクタおよびプロジェクタの投写方法に関するものである。
【背景技術】
【０００２】
従来、プロジェクタは、光源から射出される光束を、画像情報に基づいて光変調装置で変調して光学像を形成し、形成した光学像を、投写レンズを介してスクリーンなどの投写対象面に映像として投写している。また、プロジェクタは、投写レンズにより映像を拡大して投写することにより、多くの人に同時に見てもらうことが可能となっている。
【０００３】
また、近年、プロジェクタの低価格化が進んだことにより、プロジェクタの普及が加速し、会社、学校はもとより、家庭、遊技場、飲食店など様々な場所でプロジェクタが使用されている。このような状況の中、プロジェクタは、会社などでのビジネス関係において用いられることがやはり多く、特に、プレゼンテーション資料の投写などに用いられている。
【０００４】
なお、プレゼンテーション資料の投写などにおいて、投写されているある対象物（例えば、新製品などの外観が表わされている画像）に対して、所定の大きさで投写させたい場合が生じる。例えば、その対象物自体の実際の大きさ（実物大）で投写させたい場合には、ユーザは、投写レンズを構成するズームレンズを回動させることにより、投写サイズを拡大／縮小し、実物大と略同程度となるように操作して投写させることになる。なお、対象物を理解してもらうことがプレゼンテーションの目的となっている場合には、対象物を所定の大きさ（特に実物大）で投写させることは、有効な手段となる。
【発明の開示】
【発明が解決しようとする課題】
【０００５】
しかし、ユーザが、ズームレンズを回動させ、目視で確認しながら対象物が所定の大きさの投写となるように調整することは、時間がかかり、また、目視での調整のため大きさが所定の大きさとは異なるという課題があった。その結果、効率的なプレゼンテーションの進行を妨げてしまっていた。
【０００６】
本発明は、上述した課題に鑑みてなされたものであり、効率的に対象物を所定の大きさで投写させることが可能なプロジェクタおよびプロジェクタの投写方法を提供することを目的とする。
【課題を解決するための手段】
【０００７】
上述した目的を達成するために、本発明のプロジェクタは、光源から射出される光束を、画像情報に基づいて光変調装置で変調して光学像を形成し、投写レンズを介して投写対象面に映像として投写するプロジェクタであって、投写対象面までの距離データを取得する距離取得手段と、画像情報に挿入されている所定の対象物と補助対象物に対し、補助対象物を検出して補助対象物データを取得する補助対象物取得手段と、補助対象物の大きさデータを記憶する補助対象物記憶部と、補助対象物記憶部から補助対象物データに対応した大きさデータを取得する大きさデータ取得部と、距離取得手段で取得した距離データと、補助対象物取得手段で取得した補助対象物データと、大きさデータ取得部で取得した補助対象物の大きさデータと、に基づき、補助対象物が補助対象物の大きさデータと略一致する大きさとなるように投写対象面へ投写させるための、投写レンズに対するズームデータを演算して制御を行なう画像制御部と、画像制御部で演算されたズームデータに基づいて投写レンズを駆動する投写レンズ駆動部と、を有することを特徴とする。
【０００８】
このようなプロジェクタによれば、距離取得手段で投写対象面までの距離データを取得し、補助対象物取得手段で画像情報から所定の補助対象物を検出して補助対象物データを取得する。そして、大きさデータ取得部により、補助対象物の大きさデータを記憶する補助対象物記憶部から補助対象物データに対応した大きさデータを取得する。
そして、画像制御部により、距離データと補助対象物データと大きさデータとに基づいて、補助対象物が補助対象物の大きさデータと略一致する大きさとなるように投写対象面へ投写させるための、投写レンズに対するズームデータを演算して制御を行なう。そして、投写レンズ駆動部により、画像制御部で演算されたズームデータに基づいて投写レンズを駆動することで、補助対象物の大きさデータと略一致する大きさとなる投写を行なうことにより、対象物を投写対象面へ投写させる。
このような構成により、補助対象物の大きさデータを所定の大きさに設定することにより、効率的に投写画像に含まれる対象物を補助対象物の大きさデータを基準として投写させることが可能なプロジェクタが実現できる。また、所定の大きさとして、例えば、補助対象物の大きさデータを実物大の大きさとする場合、対象物を略実物大で投写させることが可能なプロジェクタが実現する。
【０００９】
また、上述した目的を達成するために、本発明のプロジェクタは、光源から射出される光束を、画像情報に基づいて光変調装置で変調して光学像を形成し、投写レンズを介して投写対象面に映像として投写するプロジェクタであって、投写対象面までの距離データを取得する距離取得手段と、投写レンズのズームデータを取得するズーム取得手段と、画像情報に挿入されている所定の対象物と補助対象物に対し、対象物を検出して対象物データを取得する対象物取得手段と、画像情報に挿入されている所定の対象物と補助対象物に対し、補助対象物を検出して補助対象物データを取得する補助対象物取得手段と、補助対象物の大きさデータを記憶する補助対象物記憶部と、補助対象物記憶部から補助対象物データに対応した大きさデータを取得する大きさデータ取得部と、距離取得手段で取得した距離データと、ズーム取得手段で取得したズームデータと、対象物取得手段で取得した対象物データと、補助対象物取得手段で取得した補助対象物データと、大きさデータ取得部で取得した補助対象物の大きさデータと、に基づき、補助対象物が補助対象物の大きさデータと略一致する大きさとなるように投写対象面へ投写させるための、光変調装置の画像サイズに対する補助対象物データの画像サイズのズームデータを演算し、当該ズームデータに基づき、光変調装置に対して対象物を含む所定領域をズームさせた画像情報を送る制御を行なう画像制御部と、を有することを特徴とする。
【００１０】
このようなプロジェクタによれば、距離取得手段で投写対象面までの距離データを取得し、ズーム取得手段で投写レンズのズームデータを取得し、対象物取得手段で画像情報から所定の対象物を検出して対象物データを取得する。また、補助対象物取得手段で画像情報から補助対象物を検出して補助対象物データを取得する。そして、大きさデータ取得部により、補助対象物の大きさデータを記憶する補助対象物記憶部から補助対象物データに対応した大きさデータを取得する。
そして、画像制御部により、距離データとズームデータと対象物データと補助対象物データと大きさデータとに基づいて、補助対象物が補助対象物の大きさデータと略一致する大きさとなるように投写対象面へ投写させるための、光変調装置の画像サイズに対する補助対象物データの画像サイズのズームデータを演算し、当該ズームデータに基づき、光変調装置に対して対象物を含む所定領域をズームさせた画像情報を送る制御を行なう。これにより、光変調装置は、ズームさせた画像情報により変調を行ない、その変調された光学像が、投写レンズにより投写対象面に投写される。
このような構成により、補助対象物の大きさデータを所定の大きさに設定することにより、効率的に投写画像に含まれる対象物を補助対象物の大きさデータを基準として投写させることが可能なプロジェクタが実現できる。また、所定の大きさとして、例えば、補助対象物の大きさデータを実物大の大きさとする場合、対象物を略実物大で投写させることが可能なプロジェクタが実現する。
【００１１】
また、上述したプロジェクタにおいて、距離取得手段は、投写対象面までの距離情報を検出する距離検出部と、距離検出部で検出した距離情報を距離データとして処理する距離処理部と、を有し、補助対象物取得手段は、画像情報から所定の補助対象物の補助対象物情報を検出する補助対象物検出部と、補助対象物検出部で検出した補助対象物情報を補助対象物データとして処理する補助対象物処理部と、を有することが好ましい。
【００１２】
このようなプロジェクタによれば、距離取得手段は、距離検出部で投写対象面までの距離情報を検出し、距離処理部で距離情報を距離データとして処理する。また、補助対象物取得手段は、補助対象物検出部で画像情報から所定の補助対象物の補助対象物情報を検出し、補助対象物処理部で補助対象物情報を補助対象物データとして処理する。
この構成により、距離データおよび補助対象物データを取得することができる。また、補助対象物の大きさデータを所定の大きさに設定することにより、効率的に投写画像に含まれる対象物を補助対象物の大きさデータを基準として投写させることが可能なプロジェクタが実現できる。
【００１３】
また、上述したプロジェクタにおいて、距離取得手段は、投写対象面までの距離情報を検出する距離検出部と、距離検出部で検出した距離情報を距離データとして処理する距離処理部と、を有し、ズーム取得手段は、投写レンズのズーム情報を検出するズーム検出部と、ズーム検出部で検出したズーム情報をズームデータとして処理するズーム処理部と、を有し、対象物取得手段は、画像情報から所定の対象物の対象物情報を検出する対象物検出部と、対象物検出部で検出した対象物情報を対象物データとして処理する対象物処理部と、を有し、補助対象物取得手段は、画像情報から所定の補助対象物の補助対象物情報を検出する補助対象物検出部と、補助対象物検出部で検出した補助対象物情報を補助対象物データとして処理する補助対象物処理部と、を有することが好ましい。
【００１４】
このようなプロジェクタによれば、距離取得手段は、距離検出部で投写対象面までの距離情報を検出し、距離処理部で距離情報を距離データとして処理する。また、ズーム取得手段は、ズーム検出部で投写レンズのズーム情報を検出し、ズーム処理部でズーム情報をズームデータとして処理する。また、対象物取得手段は、対象物検出部で画像情報から所定の対象物の対象物情報を検出し、対象物処理部で対象物情報を対象物データとして処理する。また、補助対象物取得手段は、補助対象物検出部で画像情報から所定の補助対象物の補助対象物情報を検出し、補助対象物処理部で補助対象物情報を補助対象物データとして処理する。
この構成により、距離データ、ズームデータ、対象物データおよび補助対象物データを取得することができる。また、補助対象物の大きさデータを所定の大きさに設定することにより、効率的に投写画像に含まれる対象物を補助対象物の大きさデータを基準として投写させることが可能なプロジェクタが実現できる。
【００１５】
また、上述したプロジェクタにおいて、距離検出部は、光の反射を利用する距離センサを有することが好ましい。
【００１６】
このようなプロジェクタによれば、距離検出部に距離センサを有することにより、確実に投写対象面までの距離情報を検出することができる。
【００１７】
また、上述したプロジェクタにおいて、距離検出部は、光の反射を利用する距離センサを有し、ズーム検出部は、投写レンズの移動位置を検出する位置センサを有することが好ましい。
【００１８】
このようなプロジェクタによれば、距離検出部に距離センサ、ズーム検出部に位置センサを有することにより、確実に投写対象面までの距離情報を検出し、移動位置により投写レンズのズーム情報を検出することができる。
【００１９】
また、上述したプロジェクタにおいて、距離検出部は、光の反射を利用する距離センサを有し、ズーム検出部は、投写対象面に投写されている投写サイズを検出する撮像センサを有することが好ましい。
【００２０】
このようなプロジェクタによれば、距離検出部に距離センサ、ズーム検出部に撮像センサを有することにより、確実に投写対象面までの距離情報を検出し、投写対象面に投写されている投写サイズを検出することで投写レンズのズーム情報を検出することができる。
【００２１】
また、上述したプロジェクタにおいて、画像に含まれる補助対象物は、対象物の大きさを決めるためのメジャーであることが好ましい。
【００２２】
このようなプロジェクタによれば、補助対象物の大きさデータを記憶させることで、対象物を補助対象物の大きさデータを基準として投写させることができる。また、補助対象物の大きさデータは、メジャーとして初期的に適宜設定することができるため、対象物の形状に左右されずに、ズームデータを演算するための基準として利用することができる。
【００２３】
また、上述した目的を達成するために、本発明のプロジェクタの投写方法は、投写対象面までの距離データを取得する距離取得工程と、画像情報に挿入されている所定の対象物と補助対象物に対し、補助対象物を検出して補助対象物データを取得する補助対象物取得工程と、補助対象物の大きさデータを記憶する補助対象物記憶工程と、補助対象物記憶工程で記憶する大きさデータから補助対象物データに対応した大きさデータを取得する大きさデータ取得工程と、距離取得工程で取得した距離データと、補助対象物取得工程で取得した補助対象物データと、大きさデータ取得工程で取得した補助対象物の大きさデータと、に基づき、補助対象物が補助対象物の大きさデータと略一致する大きさとなるように投写対象面へ投写させるための、投写レンズに対するズームデータを演算して制御を行なう画像制御工程と、画像制御工程で演算されたズームデータに基づいて投写レンズを駆動する投写レンズ駆動工程と、を有することを特徴とする。
【００２４】
このようなプロジェクタの投写方法によれば、距離取得工程で投写対象面までの距離データを取得し、補助対象物取得工程で画像情報から所定の補助対象物を検出して補助対象物データを取得する。そして、大きさデータ取得工程により、補助対象物の大きさデータを記憶する補助対象物記憶工程から補助対象物データに対応した大きさデータを取得する。
そして、画像制御工程により、距離データと補助対象物データと大きさデータとに基づいて、補助対象物が補助対象物の大きさデータと略一致する大きさとなるように投写対象面へ投写させるための、投写レンズに対するズームデータを演算して制御を行なう。そして、投写レンズ駆動工程により、画像制御工程で演算されたズームデータに基づいて投写レンズを駆動することで、補助対象物の大きさデータと略一致する大きさとなる投写を行なうことにより、対象物を投写対象面へ投写させる。
このような工程により、補助対象物の大きさデータを所定の大きさに設定することにより、効率的に投写画像に含まれる対象物を補助対象物の大きさデータを基準として投写させることが可能な投写方法が実現できる。また、所定の大きさとして、例えば、補助対象物の大きさデータを実物大の大きさとする場合、対象物を略実物大で投写させることが可能なプロジェクタの投写方法が実現する。
【００２５】
また、上述した目的を達成するために、本発明のプロジェクタの投写方法は、投写対象面までの距離データを取得する距離取得工程と、投写レンズのズームデータを取得するズーム取得工程と、画像情報に挿入されている所定の対象物と補助対象物に対し、対象物を検出して対象物データを取得する対象物取得工程と、画像情報に挿入されている所定の対象物と補助対象物に対し、補助対象物を検出して補助対象物データを取得する補助対象物取得工程と、補助対象物の大きさデータを記憶する補助対象物記憶工程と、補助対象物記憶工程で記憶する大きさデータから補助対象物データに対応した大きさデータを取得する大きさデータ取得工程と、距離取得工程で取得した距離データと、ズーム取得工程で取得したズームデータと、対象物取得工程で取得した対象物データと、補助対象物取得工程で取得した補助対象物データと、大きさデータ取得工程で取得した補助対象物の大きさデータと、に基づき、補助対象物が補助対象物の大きさデータと略一致する大きさとなるように投写対象面へ投写させるための、光変調装置の画像サイズに対する補助対象物データの画像サイズのズームデータを演算し、当該ズームデータに基づき、光変調装置に対して対象物を含む所定領域をズームさせた画像情報を送るように制御を行なう画像制御工程と、を有することを特徴とする。
【００２６】
このようなプロジェクタの投写方法によれば、距離取得工程で投写対象面までの距離データを取得し、ズーム取得工程で投写レンズのズームデータを取得し、対象物取得工程で画像情報から所定の対象物を検出して対象物データを取得する。また、補助対象物取得工程で画像情報から補助対象物を検出して補助対象物データを取得する。そして、大きさデータ取得工程により、補助対象物の大きさデータを記憶する補助対象物記憶工程から補助対象物データに対応した大きさデータを取得する。
そして、画像制御工程により、距離データとズームデータと対象物データと補助対象物データと大きさデータとに基づいて、補助対象物が補助対象物の大きさデータと略一致する大きさとなるように投写対象面へ投写させるための、光変調装置の画像サイズに対する補助対象物データの画像サイズのズームデータを演算し、当該ズームデータに基づき、光変調装置に対して対象物を含む所定領域をズームさせた画像情報を送るように制御を行なう。これにより、光変調装置は、ズームさせた画像情報により変調を行ない、その変調された光学像が、投写レンズにより投写対象面に投写される。
このような工程により、補助対象物の大きさデータを所定の大きさに設定することにより、効率的に投写画像に含まれる対象物を補助対象物の大きさデータを基準として投写させることが可能な投写方法が実現できる。また、所定の大きさとして、例えば、補助対象物の大きさデータを実物大の大きさとする場合、対象物を略実物大で投写させることが可能なプロジェクタの投写方法が実現する。
【００２７】
また、上述したプロジェクタの投写方法において、距離取得工程は、投写対象面までの距離情報を検出する距離検出工程と、距離検出工程で検出した距離情報を距離データとして処理する距離処理工程と、を有し、補助対象物取得工程は、画像情報から所定の補助対象物の補助対象物情報を検出する補助対象物検出工程と、補助対象物検出工程で検出した補助対象物情報を補助対象物データとして処理する補助対象物処理工程と、を有することが好ましい。
【００２８】
このようなプロジェクタの投写方法によれば、距離取得工程は、距離検出工程で投写対象面までの距離情報を検出し、距離処理工程で距離情報を距離データとして処理する。また、補助対象物取得工程は、補助対象物検出工程で画像情報から所定の補助対象物の補助対象物情報を検出し、補助対象物処理工程で補助対象物情報を補助対象物データとして処理する。
このような工程により、距離データおよび補助対象物データを取得することができる。また、補助対象物の大きさデータを所定の大きさに設定することにより、効率的に投写画像に含まれる対象物を補助対象物の大きさデータを基準として投写させることが可能なプロジェクタの投写方法が実現できる。
【００２９】
また、上述したプロジェクタの投写方法において、距離取得工程は、投写対象面までの距離情報を検出する距離検出工程と、距離検出工程で検出した距離情報を距離データとして処理する距離処理工程と、を有し、ズーム取得工程は、投写レンズのズーム情報を検出するズーム検出工程と、ズーム検出工程で検出したズーム情報をズームデータとして処理するズーム処理工程と、を有し、対象物取得工程は、画像情報から所定の対象物の対象物情報を検出する対象物検出工程と、対象物検出工程で検出した対象物情報を対象物データとして処理する対象物処理工程と、を有し、補助対象物取得工程は、画像情報から所定の補助対象物の補助対象物情報を検出する補助対象物検出工程と、補助対象物検出工程で検出した補助対象物情報を補助対象物データとして処理する補助対象物処理工程と、を有することが好ましい。
【００３０】
このようなプロジェクタの投写方法によれば、距離取得工程は、距離検出工程で投写対象面までの距離情報を検出し、距離処理工程で距離情報を距離データとして処理する。また、ズーム取得工程は、ズーム検出工程で投写レンズのズーム情報を検出し、ズーム処理工程でズーム情報をズームデータとして処理する。また、対象物取得工程は、対象物検出工程で画像情報から所定の対象物の対象物情報を検出し、対象物処理工程で対象物情報を対象物データとして処理する。そして、補助対象物取得工程は、補助対象物検出工程で画像情報から所定の補助対象物の補助対象物情報を検出し、補助対象物処理工程で補助対象物情報を補助対象物データとして処理する。
このような工程により、距離データ、ズームデータ、対象物データおよび補助対象物データを取得することができる。また、補助対象物の大きさデータを所定の大きさに設定することにより、効率的に投写画像に含まれる対象物を補助対象物の大きさデータを基準として投写させることが可能なプロジェクタの投写方法が実現できる。
【発明を実施するための最良の形態】
【００３１】
以下、本発明の実施形態を図面に基づいて説明する。
（第１実施形態）
【００３２】
図１は、本発明の第１実施形態に係るプロジェクタの概略構成図である。図１を参照して、プロジェクタ１の構成および動作を説明する。
【００３３】
プロジェクタ１は、入力された画像信号をデジタル信号に変換するＡ／Ｄ変換部１０と、光変調装置としての液晶パネル５０の仕様に合せてデジタル信号を縮小や拡大（スケーリング）処理する画像処理部２０と、液晶パネル５０に表示するために画像処理されたデジタル信号を変換する液晶パネル駆動部３０とを備えている。
【００３４】
そして、光束を射出する光源や、射出された光束を偏光変換および色分離する照明光学系４０と、光変調を行なう液晶パネル５０と、液晶パネル５０からの透過光を色合成し、その合成光を拡大投写する投写光学系としての投写レンズ６０とを備えている。また、これらの動作のタイミングなどを含め、動作全体を制御する制御部７０を備えている。
【００３５】
なお、制御部７０は、各種制御プログラムに基づいて演算処理およびシステム全体を制御するＣＰＵ７１と、予めＣＰＵ７１の制御プログラムなどを記憶しているＲＯＭ７２と、ＲＯＭ７２などから読み出したデータやＣＰＵ７１の演算過程で必要な演算結果の記憶や、各種テーブルを記憶するＲＡＭ７３などで構成されている。また、これらは、データを転送するための信号線であるバスにより、相互にデータ授受可能に接続されている。
【００３６】
また、ユーザがプロジェクタ１の操作を行なうためのリモコン装置（リモートコントローラ）９１と、そのリモコン装置９１からの信号を受信して制御部７０に信号を送るリモコン制御部９０とを備えている。
【００３７】
プロジェクタ１は、投写対象面（本実施形態では、スクリーン２００）までの距離を検出する距離検出部８０と、距離検出部８０で検出された距離情報を距離データとして処理する距離処理部としての動作を行なう制御部７０とを備えている。なお、距離検出部８０と距離処理部（制御部７０）とにより距離検出手段が構成されている。
【００３８】
また、距離検出部８０は、本実施形態では、光の反射を利用する距離センサを備えている。詳細には、距離センサとして反射型赤外センサ（図示省略）を備えている。そして、反射型赤外センサは、プロジェクタ１本体の投写側の前面（スクリーン２００と相対する側）に設置されている。
【００３９】
また、投写光学系としての投写レンズ６０は、スクリーン２００に投写された画像サイズを拡大・縮小するためのズームレンズ６１と、投写された画像の焦点調整を行なうフォーカスレンズ６２とを有して構成されている。
【００４０】
そして、ズームレンズ６１を駆動する投写レンズ駆動部としてのズームレンズ駆動部１００を備えている。また、ズームレンズ駆動部１００は、本実施形態では、ＤＣ（直流）モータ（図示省略）およびギヤ列（図示省略）によりズームレンズ６１を駆動している。
【００４１】
また、ズームレンズ６１の位置をズーム情報として検出するズーム検出部としてのズームレンズ位置検出部１１０と、ズームレンズ位置検出部１１０で検出したズームレンズ６１の位置（ズーム情報）をズームレンズ６１のズーム倍率（ズームデータ）として処理するズーム処理部としての制御部７０とを備えている。なお、ズーム検出部（ズームレンズ位置検出部１１０）とズーム処理部（制御部７０）とによりズーム検出手段が構成されている。
【００４２】
ズームレンズ位置検出部１１０は、本実施形態では、位置センサを備えている。詳細には、位置センサとして光電式のロータリーエンコーダ（図示省略）を備えて投写レンズ６０（ズームレンズ６１）の移動位置を検出している。
【００４３】
なお、フォーカスレンズ６２は、本実施形態では、手動での調整としている。また、ズームレンズ６１およびフォーカスレンズ６２は、それぞれ複数枚のレンズにより構成されている。
【００４４】
図２は、補助対象物を示す平面図であり、同図（ａ）は、１０ｃｍの補助対象物を示す平面図であり、同図（ｂ）は、５０ｃｍの補助対象物を示す平面図であり、同図（ｃ）は、１００ｃｍの補助対象物を示す平面図である。また、図３は、対象物と補助対象物とを含んだ画像の例示図である。
【００４５】
図２を参照して、補助対象物Ｍの説明を行なう。
補助対象物Ｍは、対象物Ｔ（図３参照）を所定の大きさで投写させるための基準となるものであり、メジャーとしての機能を有している。そして、補助対象物Ｍは、本実施形態では、図２に示すように、長方形の形状を有し、特定の部位に丸孔Ｈを有して形成されている。そして、相対する辺の１組は長さを変えずに、他の１組の辺の長さを補助対象物Ｍ毎に所定の長さとして異なるように設定している。
【００４６】
図２（ａ）に示す補助対象物Ｍ１は、１０ｃｍの辺長さを有し、１０ｃｍを指示するメジャーとして働く。また、図２（ｂ）に示す補助対象物Ｍ２は、５０ｃｍの辺長さを有し、５０ｃｍを指示するメジャーとして働く。また、図２（ｃ）に示す補助対象物Ｍ３は、１００ｃｍの辺長さを有し、１００ｃｍを指示するメジャーとして働く。なお、辺長さを変更して適宜補助対象物を作成することができる。
【００４７】
また、制御部７０のＲＯＭ７２には、この補助対象物Ｍを検出するためのプログラムが記憶されている。そして、後述する補助対象物記憶部としてのＲＡＭ７３には、予め補助対象物Ｍと補助対象物Ｍの大きさとを示すテーブルが記憶されている。
【００４８】
図３に示すように、プロジェクタ１に投写させるための画像を作成する場合に、対象物Ｔ（例えば、パソコンＴ１）の横に補助対象物Ｍ（本実施形態では、補助対象物Ｍ１）を含めた画像を作成することになる。
【００４９】
図４は、本実施形態の実物大の投写を行なう動作手順を示すフローチャートである。対象物Ｔを所定の大きさで投写させる動作手順の説明として、本実施形態では、図１〜図４を参照して、実物大の投写（以降、適宜、実物大投写と称する）を行なう動作手順に関し、工程を含めて説明する。
【００５０】
なお、プロジェクタ１は、投写対象面としてのスクリーン２００に、所定の大きさの投写を行なわせるための対象物Ｔおよび補助対象物Ｍが含まれる画像を投写しているものとする。なお、本実施形態では、図３に示すように、実物大の投写を行なわせるための対象物Ｔ（パソコンＴ１）および補助対象物Ｍ１が含まれる画像を投写しているものとする。
【００５１】
そして、ユーザのリモコン装置９１からの入力操作による入力信号を、制御部７０が、投写されている画像の中の対象物Ｔおよび補助対象物Ｍを所定の大きさ（実物大）で投写させるための入力として判断した場合の、それ以降の動作手順を示している。また、ユーザにより、ズームレンズ駆動部１００を用いてズームレンズ６１を駆動することで投写サイズを設定し、フォーカスレンズ６２を手動で回動して投写画像の焦点調整が行なわれているものとする。
【００５２】
ステップＳ１００では、制御部７０（以降、ＣＰＵ７１）は、距離取得手段を構成する距離検出部８０の反射型赤外センサを駆動させて、スクリーン２００までの距離を距離情報として検出する。反射型赤外センサは、赤外線をスクリーン２００に向けて投光し、スクリーン２００で反射して戻る赤外線を受光することで、距離情報を検出する。そして、距離検出部８０は、距離情報を出力する。次に、ステップＳ１０１に移行する。
【００５３】
ステップＳ１０１では、ＣＰＵ７１は、距離取得手段を構成する距離処理部として動作を行なう。ＣＰＵ７１は、距離検出部８０の反射型赤外センサから出力される距離情報を入力し、ＲＡＭ７３に記憶される距離情報と実際の距離（距離データ）との対応を示すテーブルを読み込み、検出した距離情報に対応する距離データを演算（算出）する。次に、ステップＳ１０２に移行する。
【００５４】
なお、ステップＳ１００は、距離検出工程に対応し、ステップＳ１０１は、距離処理工程に対応する。また、距離検出工程と距離処理工程とにより距離取得工程が構成される。
【００５５】
ステップＳ１０２では、画像処理部２０は、補助対象物取得手段を構成する補助対象物検出部として動作を行ない、画像処理部２０に入力する画像信号から対象物Ｔの大きさの基準となる補助対象物Ｍを検出する。なお、補助対象物検出部は、ＲＯＭ７２から補助対象物Ｍを検出するためのプログラムを読み込んで実行することにより構築される。補助対象物検出部は、プログラムの実行により、補助対象物Ｍを検出（認識）する。なお、本実施形態では、上述した補助対象物Ｍの形状（辺の長さを含む）および丸孔Ｈを検出（補助対象物情報を検出）して補助対象物Ｍ１を検出する。
【００５６】
なお、画像処理部２０は、入力する画像の画像サイズに対して、光変調装置としての液晶パネル５０の画像サイズに対応させるために、スケーリング処理を行なう。なお、本実施形態での液晶パネル５０の画像サイズは、ＸＧＡサイズ（１０２４×７６８ドット）であり、画像サイズデータとしてＲＡＭ７３内に記憶されている。そして、画像処理部２０は、入力する画像のサイズが、例えば、ＨＤＴＶサイズ（１９２０×１０８０ドット）である場合には、スケーリング処理により、ＨＤＴＶサイズをＸＧＡサイズとなるように処理することになる。
【００５７】
次に、ステップＳ１０３では、画像処理部２０は、補助対象物取得手段を構成する補助対象物処理部として動作を行ない、検出した補助対象物Ｍ１に対して補助対象物データとして処理する。具体的には、補助対象物データとして、液晶パネル５０の画像サイズに対する補助対象物Ｍ１の画像サイズを演算（算出）する。なお、算出した補助対象物Ｍ１の画像サイズ（補助対象物データ）を制御部７０に出力する。次に、ステップＳ１０４に移行する。
【００５８】
なお、ステップＳ１０２は、補助対象物検出工程に対応し、ステップＳ１０３は、補助対象物処理工程に対応する。また、補助対象物検出工程と補助対象物処理工程とにより、補助対象物取得工程が構成される。
【００５９】
ステップＳ１０４では、ＣＰＵ７１は、大きさデータ取得部として動作を行なう。ＣＰＵ７１は、補助対象物記憶部としてのＲＡＭ７３から補助対象物Ｍ１と補助対象物Ｍ１の大きさデータとの対応を示すテーブルを読み込み、検出された補助対象物Ｍ１に対する大きさデータを取得する。具体的には、テーブルから、補助対象物Ｍ１に対応する大きさデータを読み込む。その大きさデータが、１０ｃｍである場合、１０ｃｍという大きさデータを取得する。
【００６０】
なお、補助対象物記憶部としてのＲＡＭ７３には、予め補助対象物Ｍと補助対象物Ｍの大きさデータとの対応を示すテーブルなどが記憶されている。そして、テーブルは、各種の補助対象物Ｍと各々の補助対象物Ｍの所定の大きさを示すデータを記憶させている。本実施形態では、所定の大きさを補助対象物Ｍの実際の大きさに設定している。従って、補助対象物Ｍ１が１０ｃｍという補助対象物Ｍ１自体の大きさと一致させたテーブルとしているため、実物大の投写を行なうことになる。
【００６１】
なお、上記のテーブルに補助対象物Ｍの大きさを記憶させる工程が、補助対象物記憶工程に対応する。また、ステップＳ１０４は、大きさデータ取得工程に対応する。
【００６２】
また、補助対象物Ｍは、メジャーとして働き、設定された形状を有して形成されているため、本実施形態では、プロジェクタ１の製造時において、補助対象物記憶部（ＲＡＭ７３）にテーブルを記憶させている。この時点が補助対象物記憶工程に対応している。なお、ＲＡＭ７３に補助対象物Ｍの大きさを記憶させる方法として、プロジェクタ１に備わるオンスクリーン機能（いわゆるＯＳＤ（On Screen Display））を使用して、スクリーン２００に投写されるメニューに従って、ユーザがリモコン装置９１などを利用して入力することでも良い。
【００６３】
次に、ステップＳ１０５では、ＣＰＵ７１は、画像制御部として動作を行なう。ＣＰＵ７１は、距離処理部から出力される距離データ（スクリーン２００とプロジェクタ１との距離）と、補助対象物処理部から出力される補助対象物データ（液晶パネル５０の画像サイズに対する補助対象物Ｍ１の画像サイズ）と、補助対象物記憶部から取得した大きさデータとを入力する。
【００６４】
そして、ＣＰＵ７１は、距離データ、補助対象物データおよび大きさデータに基づいて、距離データで示す位置に設置されているスクリーン２００に対して、補助対象物Ｍ１が補助対象物Ｍ１の大きさデータ（例えば、１０ｃｍ）と略同一となる（略一致させる）ように投写させるための、ズームレンズ６１に対するズーム倍率（ズームデータ）を演算（算出）する。なお、ステップＳ１０５は、画像制御工程に対応する。
【００６５】
次に、ステップＳ１０６では、ＣＰＵ７１は、ズームレンズ６１を初期設定位置に移動させるために、ズームレンズ駆動部１００を駆動させる。従って、現在投写しているズームレンズ６１の位置に関係なく、ズームレンズ６１は、初期設定位置に戻る動作を行なう。なお、初期設定位置とは、ズーム倍率が最小となる位置としている。次にステップＳ１０７に以降する。
【００６６】
ステップＳ１０７では、ＣＰＵ７１は、ズームレンズ駆動部１００で、算出したズーム倍率となるように、ズームレンズ６１を駆動する。詳細には、ＣＰＵ７１は、ズームレンズ駆動部１００を駆動し、ズームレンズ駆動部１００の駆動によるズームレンズ６１の移動位置を、ズームレンズ位置検出部１１０で検出することにより、ズーム倍率に対応する位置で、ズームレンズ駆動部１００の駆動を停止させる。なお、ステップＳ１０７は、投写レンズ駆動工程に対応する。
【００６７】
以上のフローの実行により、投写レンズ６０を介して投写された補助対象物Ｍ１は、補助対象物Ｍ１の大きさ（１０ｃｍ）と略一致した大きさで投写されることになる。この時、対象物Ｔ（例えば、パソコンＴ１）も、補助対象物Ｍ１と同様のズーム倍率で投写される。補助対象物Ｍ１の大きさが補助対象物Ｍ１の実物大の大きさで設定されているため、投写された対象物Ｔも対象物Ｔの実物大となる。この場合、投写サイズも算出したズーム倍率により、例えば、５倍の投写サイズが３倍の投写サイズとなる。
【００６８】
図５は、本実施形態の実物大の投写を説明する図であり、同図（ａ）は、最初に投写されている状態を示す図であり、同図（ｂ）は、実物大の投写を行なった状態を示す図である。図５を参照して、実物大投写の説明を行なう。
【００６９】
図５（ａ）に示すように、通常は、対象物Ｔ（パソコンＴ１）および補助対象物Ｍ（Ｍ１）の画像が含まれる画像（映像）をスクリーン２００に対して、投写サイズＡとして投写させている。なお、投写サイズＡは、ユーザの嗜好によるサイズである。
【００７０】
この状態で、ユーザが、例えば、リモコン装置９１に設定される対象物の所定大きさ投写用の入力キーを操作することにより、図４に示したように、制御部７０の制御により、動作手順で示される動作を実行する。その結果、図５（ｂ）に示すように、本実施形態では、対象物Ｔ（パソコンＴ１）が、実物大の大きさで投写される投写サイズＢとなるように、ズームレンズ６１が最終的に動作して投写することができる。
【００７１】
また、図５（ａ）に示す投写サイズＡから、実物大の大きさで投写される、図５（ｂ）に示す投写サイズＢに移行する際（図４におけるステップＳ１０６およびステップＳ１０７での状態）は、僅かの時間ではあるが、投写映像は写さないようにしている。詳細には、このときの投写映像は黒表示とする処理を行っている。しかし、これに限らず、ズームレンズ６１の移動時にも映像を投写し続けていても良い。
【００７２】
上述した、実施形態によれば以下の効果が得られる。
（１）本実施形態のプロジェクタ１によれば、距離取得手段（距離検出部８０の反射型赤外センサおよび距離処理部（ＣＰＵ７１））で、スクリーン２００までの距離データを取得する。そして、補助対象物取得手段（補助対象物検出部および補助対象物処理部、として動作する画像処理部２０）で、画像情報から所定の補助対象物Ｍ１を検出して補助対象物データ（液晶パネル５０の画像サイズに対する補助対象物Ｍ１の画像サイズ）を取得する。そして、大きさデータ取得部（ＣＰＵ７１）で補助対象物記憶部（ＲＡＭ７３）から補助対象物データに対応した大きさデータを取得する。
そして、画像制御部（ＣＰＵ７１）により、距離データと補助対象物データと大きさデータとに基づいて、補助対象物Ｍ１が補助対象物Ｍ１の大きさデータと略一致する大きさとなるようにスクリーン２００へ投写させるためのズーム倍率を演算（算出）する。そして、投写レンズ駆動部（ズームレンズ駆動部１００）により、画像制御部の制御に基づいて投写レンズ６０（ズームレンズ６１）を駆動することで、補助対象物Ｍ１の大きさデータと略一致する大きさとなる投写を行なう。
このような構成により、補助対象物Ｍ１の大きさデータを実物大の大きさに設定することにより、効率的に投写画像に含まれる対象物Ｔ（パソコンＴ１）を略実物大で投写させることが可能なプロジェクタ１が実現する。
【００７３】
（２）本実施形態の距離取得工程（距離検出工程、距離処理工程）で、スクリーン２００までの距離データを取得する。そして、補助対象物取得工程（補助対象物検出工程、補助対象物処理工程）で、画像情報から所定の補助対象物Ｍ１を検出して補助対象物データ（液晶パネル５０の画像サイズに対する補助対象物Ｍ１の画像サイズ）を取得する。そして、大きさデータ取得工程で、補助対象物記憶工程で記憶した補助対象物データに対応した大きさデータを取得する。
そして、画像制御工程により、距離データと補助対象物データと大きさデータとに基づいて、補助対象物Ｍ１が補助対象物Ｍ１の大きさデータと略一致する大きさとなるようにスクリーン２００へ投写させるためのズーム倍率を演算（算出）する。そして、投写レンズ駆動工程により、画像制御工程の制御に基づいて投写レンズ６０（ズームレンズ６１）を駆動することで、補助対象物Ｍ１の大きさデータと略一致する大きさとなる投写を行なう。
このような工程により、補助対象物Ｍ１の大きさデータを実物大の大きさに設定する場合、対象物Ｔ（パソコンＴ１）を略実物大で投写させることが可能な実物大投写方法が実現する。
【００７４】
（３）本実施形態のプロジェクタ１によれば、距離検出部８０に距離センサ（反射型赤外センサ）を有することにより、確実にスクリーン２００までの距離情報を検出することができる。
【００７５】
（４）本実施形態のプロジェクタ１によれば、補助対象物Ｍの大きさデータを補助対象物記憶部に記憶させることにより、対象物Ｔを補助対象物Ｍの大きさデータを基準として投写させることができる。また、本実施形態では、補助対象物Ｍ１を、対象物Ｔ（パソコンＴ１）に対する実物大の大きさの基準としている。補助対象物Ｍの大きさデータは、メジャーとして初期的に適宜設定することができ、対象物Ｔの形状に左右されずに、ズームデータを演算するための基準として利用することができる。
【００７６】
（５）本実施形態のプロジェクタ１によれば、補助対象物Ｍを数種類用意することにより、対象物Ｔを所定の大きさで投写させることができる。従って、補助対象物記憶部に有するテーブルの容量も少なくて良い。また、形状が様々に異なる対象物Ｔをそれぞれ認識させる必要がなく、決められた形状の補助対象物Ｍを検出することで良いため、確実に、また効率的に、対象物Ｔ（パソコンＴ１）を所定の大きさ（本実施形態では、実物大）で投写させることができる。
【００７７】
（６）本実施形態のプロジェクタ１によれば、対象物Ｔを所定の大きさ（本実施形態では、実物大）で投写するための入力部（スイッチキー）をリモコン装置９１などに設定することができる。そして、ユーザが、投写されている画像の中の対象物Ｔを所定の大きさ（本実施形態では、実物大）の大きさで投写させたい場合には、その所定大きさ投写用のスイッチキーを押下することにより、目視での調整などは必要なく、簡単で確実に、対象物Ｔ（パソコンＴ１）を所定の大きさ（本実施形態では、実物大）で投写させることができる。従って、効率的なプレゼンテーションなどを行なうことができる。
（第２実施形態）
【００７８】
図６は、本発明の第２実施形態に係る実物大の投写を行なう動作手順を示すフローチャートである。そして、本実施形態のプロジェクタ２（図１参照）は、第１実施形態の図１に示すプロジェクタ１の構成と略同様の構成となる。図２に示す補助対象物Ｍおよび図３に示す画像の構成も同様となる。しかし、本実施形態のプロジェクタ２は、ズームレンズ位置検出部１１０と画像処理部２０の動作が第１実施形態と異なっている。
【００７９】
なお、本実施形態では、対象物Ｔの所定の大きさの投写として、対象物Ｔの実物大の大きさの投写を行なわせている。図１〜図３を適宜参照し、図６を用いて、本実施形態における実物大投写を行なう動作手順に関し、工程を含めて説明する。
【００８０】
本実施形態のプロジェクタ２は、第１実施形態と同様に、投写対象面としてのスクリーン２００に実物大の投写を行なわせるための対象物Ｔ（パソコンＴ１）および補助対象物Ｍ１を投写しているものとする（図５（ａ）参照）。そして、図６は、ユーザのリモコン装置９１からの入力操作による入力信号を、制御部７０が、投写されている画像の中の対象物Ｔおよび補助対象物Ｍを所定の大きさ（実物大）で投写させるための入力として判断した場合の、それ以降の動作手順を示している。また、ユーザにより、ズームレンズ駆動部１００を用いてズームレンズ６１を駆動することで投写サイズを設定し、フォーカスレンズ６２を手動で回動して投写画像の焦点調整が行なわれているものとする。
【００８１】
なお、図６において、ステップＳ２００およびステップＳ２０１は、図４に示すステップＳ１００およびステップＳ１０１と同様である。詳細には、ステップＳ２００とステップＳ２０１では、距離取得手段（距離検出部８０の反射型赤外センサおよび距離処理部（ＣＰＵ７１））で、スクリーン２００までの距離データを取得する。
【００８２】
なお、ステップＳ２００は、距離検出工程に対応し、ステップＳ２０１は、距離処理工程に対応する。また、距離検出工程と距離処理工程とにより距離取得工程が構成される。
【００８３】
ステップＳ２０２では、ＣＰＵ７１は、ズームレンズ位置検出部１１０のロータリーエンコーダを駆動させて、ズームレンズ６１の位置（移動距離）をズーム情報として検出する。なお、ズームレンズ位置検出部１１０は、ズーム取得手段を構成するズーム検出部として動作する。そして、ズームレンズ位置検出部１１０は、ユーザのリモコン装置９１への入力操作などによって、スクリーン２００に画像が投写される時点から駆動しており、ロータリーエンコーダは、ズームレンズ位置（ズーム情報）を出力する。次に、ステップＳ２０３に移行する。
【００８４】
ステップＳ２０３では、ＣＰＵ７１は、ズーム取得手段を構成するズーム処理部として動作を行なう。ＣＰＵ７１は、ズームレンズ位置検出部１１０のロータリーエンコーダから出力されるズームレンズ位置（ズーム情報）を入力する。そして、ＣＰＵ７１は、ＲＡＭ７３に記憶されるズームレンズ位置と実際のズームレンズ６１のズーム倍率との対応を示すテーブルを読み込み、検出したズームレンズ位置（ズーム情報）に対応するズーム倍率（ズームデータ）を演算（算出）する。次に、ステップＳ２０４に移行する。
【００８５】
なお、ステップＳ２０２は、ズーム検出工程に対応し、ステップＳ２０３は、ズーム処理工程に対応する。また、ズーム検出工程とズーム処理工程とにより、ズーム取得工程が構成される。
【００８６】
次に、ステップＳ２０４では、画像処理部２０は、対象物取得手段を構成する対象物検出部として動作を行ない、画像処理部２０に入力する画像信号から対象物Ｔを検出する。なお、対象物検出部は、ＲＯＭ７２から対象物Ｔを検出するためのプログラムを読み込んで実行することにより構築される。本実施形態では、対象物検出部は、プログラムの実行により、対象物Ｔ（パソコンＴ１）を検出（認識）する。なお、対象物Ｔの形状（対象物情報）を検出して対象物Ｔ（パソコンＴ１）を認識する。
【００８７】
次に、ステップＳ２０５では、画像処理部２０は、対象物取得手段を構成する対象物処理部として動作を行ない、検出した対象物Ｔ（パソコンＴ１）に対して対象物データとして処理する。具体的には、対象物データとして、液晶パネル５０の画像サイズに対する対象物Ｔ（パソコンＴ１）の画像サイズを演算（算出）する。なお、算出した対象物Ｔ（パソコンＴ１）の画像サイズ（対象物データ）を制御部７０に出力する。次に、ステップＳ２０６に移行する。
【００８８】
なお、ステップＳ２０４は、対象物検出工程に対応し、ステップＳ２０５は、対象物処理工程に対応する。また、対象物検出工程と対象物処理工程とにより、対象物取得工程が構成される。
【００８９】
ステップＳ２０６は、図４に示すステップＳ１０２と同様である。ステップＳ２０６では、画像処理部２０は、補助対象物取得手段を構成する補助対象物検出部として動作を行ない、画像処理部２０に入力する画像信号から対象物Ｔ（パソコンＴ１）の大きさの基準となる補助対象物Ｍを検出する。
【００９０】
なお、補助対象物検出部は、ＲＯＭ７２から補助対象物Ｍを検出するためのプログラムを読み込んで実行することにより構築される。そして、本実施形態では、補助対象物検出部は、プログラムの実行により、補助対象物Ｍを検出（認識）する。なお、上述した補助対象物Ｍの辺の長さや丸孔Ｈを含む形状（補助対象物情報）を検出して補助対象物Ｍ１を認識する。
【００９１】
ステップＳ２０７は、図４に示すステップＳ１０３と同様である。ステップＳ２０７では、画像処理部２０は、補助対象物取得手段を構成する補助対象物処理部として動作を行ない、検出した補助対象物Ｍ１に対して補助対象物データとして処理する。具体的には、補助対象物データとして、液晶パネル５０の画像サイズに対する補助対象物Ｍ１の画像サイズを演算（算出）する。なお、算出した補助対象物Ｍ１の画像サイズ（補助対象物データ）を制御部７０に出力する。次に、ステップＳ２０８に移行する。
【００９２】
なお、ステップＳ２０６は、補助対象物検出工程に対応し、ステップＳ２０７は、補助対象物処理工程に対応する。また、補助対象物検出工程と補助対象物処理工程とにより、補助対象物取得工程が構成される。
【００９３】
ステップＳ２０８は、図４に示すステップＳ１０４と同様である。ステップＳ２０８では、ＣＰＵ７１は、大きさデータ取得部として動作を行なう。ＣＰＵ７１は、補助対象物記憶部としてのＲＡＭ７３から補助対象物Ｍ１と補助対象物Ｍ１の大きさデータとの対応を示すテーブルを読み込み、検出された補助対象物Ｍ１に対する大きさデータを取得する。具体的には、テーブルから、補助対象物Ｍ１に対応する大きさデータを読み込む。その大きさデータが、１０ｃｍである場合、１０ｃｍという大きさデータを取得する。
【００９４】
なお、補助対象物記憶部としてのＲＡＭ７３には、第１実施形態と同様に、予め補助対象物Ｍと補助対象物Ｍの大きさデータとの対応を示すテーブルなどが記憶されている。そして、テーブルは、各種の補助対象物Ｍと各々の補助対象物Ｍの所定の大きさを示すデータを記憶させている。本実施形態では、所定の大きさを補助対象物Ｍの実際の大きさに設定している。従って、補助対象物Ｍ１が１０ｃｍという補助対象物Ｍ１自体の大きさと一致させたテーブルとしているため、実物大の投写を行なうことになる。
【００９５】
なお、上記のテーブルに補助対象物Ｍの大きさを記憶させる工程が、補助対象物記憶工程に対応する。また、ステップＳ２０８は、大きさデータ取得工程に対応する。
【００９６】
ステップＳ２０９では、ＣＰＵ７１は、画像制御部として動作を行なう。ＣＰＵ７１は、距離処理部から出力される距離データ（スクリーン２００とプロジェクタ２との距離）と、ズーム処理部から出力されるズーム倍率（ズームレンズ６１のズーム倍率）と、対象物処理部から出力される対象物データ（液晶パネル５０の画像サイズに対する対象物Ｔ（パソコンＴ１）の画像サイズ）と、補助対象物処理部から出力される補助対象物データ（液晶パネル５０の画像サイズに対する補助対象物Ｍ１の画像サイズ）と、補助対象物記憶部から取得した大きさデータとを入力する。
【００９７】
そして、ＣＰＵ７１は、距離データ、ズーム倍率、対象物データ、補助対象物データおよび大きさデータに基づいて、距離データで示す位置に設置されるスクリーン２００に対して、ズームレンズ６１のズーム倍率（投写サイズ）は変えずに、光変調装置としての液晶パネル５０上において、液晶パネル５０の画像サイズに対する対象物Ｔ（パソコンＴ１）の画像サイズを変える（ズームする）。
【００９８】
そのために、ＣＰＵ７１は、補助対象物Ｍ１が補助対象物Ｍ１の大きさデータと略一致する大きさとなるようにスクリーン２００へ投写させるための、液晶パネル５０の画像サイズに対する補助対象物データの画像サイズのズームデータ（ズーム倍率）を演算（算出）する。なお、ステップＳ２０９は、画像制御工程に対応する。
【００９９】
次に、ステップＳ２１０では、画像処理部２０は、画像補正部として動作を行なう。画像処理部２０は、画像制御部（ＣＰＵ７１）で算出した液晶パネル５０の画像サイズに対する補助対象物Ｍ１の画像サイズのズーム倍率に基づき、現在の対象物Ｔ（パソコンＴ１）の画像サイズを、算出したズーム倍率となるように変更（画像補正）する。この際、対象物Ｔ（パソコンＴ１）を含んだ、設定される領域部分の画像サイズを変更する。
【０１００】
なお、変更した対象物Ｔ（パソコンＴ１）を含んだ領域部分が、液晶パネル５０の画像サイズに比べて小さい場合には、その領域部分以外は投写結果が黒表示となる画像補正も行なっている。これらの画像補正した画像情報を画像補正用信号として液晶パネル駆動部３０に出力する。なお、ステップＳ２１０は、画像補正工程として画像制御工程に含まれる。次に、ステップＳ２１１に移行する。
【０１０１】
なお、ステップＳ２１０で実行する画像補正部の動作は、いわゆる電子ズームの動作と同様となる。なお、第１実施形態での実物大の投写は、投写レンズ６０のズーム倍率を変更するいわゆる光学ズームである。この違いが、第１実施形態と、第２実施形態との違いとなる。
【０１０２】
ステップＳ２１１では、液晶パネル駆動部３０は、画像処理部２０での画像補正用信号に基づいて、液晶パネル５０を駆動し、液晶パネル５０の画像サイズに画像補正した結果となる対象物Ｔ（パソコンＴ１）を含む所定領域部分を表示させる。
【０１０３】
以上のフローの実行により、液晶パネル５０に表示される画像が、光源からの光束を変調して光学像を形成し、投写レンズ６０を介してスクリーン２００に投写されることにより、対象物Ｔ（パソコンＴ１）を含む所定領域が実物大で投写されることになる。この場合、所定領域部分以外は黒表示で投写される。
【０１０４】
図７は、本実施形態の実物大の投写を説明する図であり、同図（ａ）は、最初に投写されている状態を示す図であり、同図（ｂ）は、実物大の投写を行なった状態を示す図である。図７を参照して、実物大投写の説明を行なう。
【０１０５】
図７（ａ）に示すように、通常は、対象物Ｔ（パソコンＴ１）および補助対象物Ｍ１の画像が含まれる画像（映像）をスクリーン２００に対して、投写サイズＡとして投写させている。なお、投写サイズＡは、ユーザの嗜好によるサイズである。
【０１０６】
この状態で、ユーザが、例えば、リモコン装置９１に設定される対象物Ｔの所定大きさ投写用の入力キーを操作することにより、図６に示したように、制御部７０の制御により、動作手順で示される動作を実行する。その結果、図７（ｂ）に示すように、対象物Ｔ（パソコンＴ１）が実物大の大きさで、対象物Ｔ（パソコンＴ１）を含む所定領域が投写される。なお対象物Ｔ（パソコンＴ１）を含む所定領域の投写サイズは、投写サイズＣとなる。また、投写サイズＣ以外の投写サイズＡとの間の領域Ｄ（斜線で示す）は、黒画像が投写されている。
【０１０７】
上述した、実施形態によれば以下の効果が得られる。
（１）本実施形態のプロジェクタ２によれば、距離取得手段（距離検出部８０の反射型赤外センサおよび距離処理部（ＣＰＵ７１））で、スクリーン２００までの距離データを取得する。そして、ズーム取得手段（ズームレンズ位置検出部１１０およびズーム処理部（ＣＰＵ７１））で、投写レンズ６０（ズームレンズ６１）のズームデータ（ズーム倍率）を取得する。そして、対象物取得手段（対象物検出部および対象物処理部、として動作する画像処理部２０）で、画像情報から所定の対象物Ｔ（パソコンＴ１）を検出して対象物データ（液晶パネル５０の画像サイズに対する対象物Ｔ（パソコンＴ１）の画像サイズ）を取得する。そして、補助対象物取得手段（補助対象物検出部および補助対象物処理部、として動作する画像処理部２０）で、画像情報から所定の補助対象物Ｍ１を検出して補助対象物データ（液晶パネル５０の画像サイズに対する補助対象物Ｍ１の画像サイズ）を取得する。そして、大きさデータ取得部（ＣＰＵ７１）で補助対象物記憶部（ＲＡＭ７３）から対補助象物データに対応した大きさデータを取得する。
そして、画像制御部（ＣＰＵ７１）により、距離データとズームデータと対象物データと補助対象物データと補助対象物Ｍ１の大きさデータとに基づいて、液晶パネル５０上の画像サイズに対する補助対象物Ｍ１の画像サイズのズーム倍率を演算（算出）する。そして、ズーム倍率に基づき、現在の対象物Ｔ（パソコンＴ１）の画像サイズを、算出したズーム倍率となるように変更（画像補正）させた画像情報を画像補正用信号として液晶パネル駆動部３０に出力する。詳細には、ＣＰＵ７１でズーム倍率を算出し、画像処理部２０でそのズーム倍率となるように画像情報を変更（画像補正）させ、その画像補正した画像情報を画像補正用信号として液晶パネル駆動部３０に出力する。そして、液晶パネル駆動部３０により、液晶パネル５０を駆動し、画像補正用信号に基づき変調させることにより投写する。
このような構成により、補助対象物Ｍ１の大きさデータを実物大の大きさに設定することにより、効率的に投写画像に含まれる対象物Ｔ（パソコンＴ１）を含む所定領域に対し、対象物Ｔ（パソコンＴ１）を略実物大で投写させることが可能なプロジェクタ２が実現する。
【０１０８】
（２）本実施形態の距離取得工程（距離検出工程、距離処理工程）で、スクリーン２００までの距離データを取得する。そして、ズーム取得工程（ズーム検出工程、ズーム処理工程）で、投写レンズ６０（ズームレンズ６１）のズームデータ（ズーム倍率）を取得する。そして、対象物取得工程（対象物検出工程、対象物処理工程）で、画像情報から所定の対象物Ｔ（パソコンＴ１）を検出して対象物データ（液晶パネル５０の画像サイズに対する対象物Ｔ（パソコンＴ１）の画像サイズ）を取得する。そして、補助対象物取得工程（補助対象物検出工程、補助対象物処理工程）で、画像情報から所定の補助対象物Ｍ１を検出して補助対象物データ（液晶パネル５０の画像サイズに対する補助対象物Ｍ１の画像サイズ）を取得する。そして、大きさデータ取得工程で、補助対象物記憶工程で記憶した対補助象物データに対応した大きさデータを取得する。
そして、画像制御工程により、距離データとズームデータと対象物データと補助対象物データと補助対象物Ｍ１の大きさデータとに基づいて、液晶パネル５０上の画像サイズに対する補助対象物Ｍ１の画像サイズのズーム倍率を演算（算出）する。そして、ズーム倍率に基づき、現在の対象物Ｔ（パソコンＴ１）の画像サイズを、算出したズーム倍率となるように変更させた画像情報を画像補正用信号として液晶パネル駆動部３０に出力する。そして、液晶パネル駆動部３０により、液晶パネル５０を駆動し、画像補正用信号に基づき変調させることにより投写する。
このような工程により、補助対象物Ｍ１の大きさデータを実物大の大きさに設定することにより、効率的に投写画像に含まれる対象物Ｔ（パソコンＴ１）を含む所定領域に対し、対象物Ｔ（パソコンＴ１）を略実物大で投写させることが可能な実物大投写方法が実現する。
【０１０９】
（３）本実施形態のプロジェクタ２によれば、距離検出部８０に距離センサ（反射型赤外センサ）、ズーム検出部（ズームレンズ位置検出部１１０）に位置センサ（ロータリーエンコーダ）を有することにより、確実にスクリーン２００までの距離情報を検出し、移動位置によりズームレンズ６１のズーム情報を検出することができる。
【０１１０】
（４）本実施形態のプロジェクタ２によれば、補助対象物Ｍの大きさデータを補助対象物記憶部に記憶させることにより、対象物Ｔを補助対象物Ｍの大きさデータを基準として投写させることができる。また、本実施形態では、補助対象物Ｍ１を用いて、対象物Ｔ（パソコンＴ１）に対して実物大の大きさの基準としている。補助対象物Ｍの大きさデータは、メジャーとして初期的に適宜設定することができ、対象物Ｔの形状に左右されずに、ズームデータを演算するための基準として利用することができる。
【０１１１】
（５）本実施形態のプロジェクタ２によれば、補助対象物Ｍを数種類用意することにより、対象物Ｔを所定の大きさで投写させることができる。従って、補助対象物記憶部に有するテーブルの容量も少なくて良い。また、効率的に、対象物Ｔ（パソコンＴ１）を所定の大きさ（本実施形態では、実物大）で投写させることができる。
【０１１２】
（６）本実施形態のプロジェクタ２によれば、対象物Ｔを所定の大きさ（本実施形態では、実物大）で投写するための入力部（スイッチキー）をリモコン装置９１などに設定することができる。そして、ユーザが、投写されている画像の中の対象物Ｔを所定の大きさ（本実施形態では、実物大）の大きさで投写させたい場合には、その所定大きさ投写用のスイッチキーを押下することにより、目視での調整などは必要なく、簡単で確実に、対象物Ｔ（パソコンＴ１）を所定の大きさ（本実施形態では、実物大）で投写させることができる。従って、効率的なプレゼンテーションなどを行なうことができる。
（第３実施形態）
【０１１３】
図８は、本発明の第３実施形態に係るプロジェクタの概略構成図である。なお、本実施形態のプロジェクタ３は、第２実施形態では、ズーム取得手段を構成するズーム検出部として位置センサを備えているのに対し、本実施形態では、撮像センサを備える点が異なっている。なお、その他の構成は、第２実施形態と同様の構成となる。
【０１１４】
また、本実施形態では、対象物Ｔの所定の大きさの投写として、対象物Ｔの実物大の大きさの投写を行なわせている。図８を参照して、本実施形態におけるプロジェクタ３の構成および動作を、第２実施形態との異なる構成部分に関して説明する。
【０１１５】
本実施形態のプロジェクタ３は、上述したように、第２実施形態でのズームレンズ駆動部１００（図１参照）およびズームレンズ位置検出部１１０（図１参照）は備えていない。そのため、ユーザは、画像を投写する場合、ズームレンズ６１を手動で回動して投写サイズを設定する。
【０１１６】
本実施形態のプロジェクタ３は、スクリーン２００に投写される投写画像に対してズーム倍率（ズーム情報）を検出するためのズーム検出部１２０を備えている。なお、ズーム検出部１２０として、本実施形態では、撮像センサを備えている。詳細には撮像センサとしてＣＣＤ（Charge Coupled Devices）カメラ（図示省略）を備えてスクリーン２００に投写されている画像の投写サイズを検出する。そして、ＣＣＤカメラは、プロジェクタ３本体の投写側の前面（スクリーン２００と相対する側）に設置されている。
【０１１７】
また、プロジェクタ３は、ズーム検出部１２０（ＣＣＤカメラ）で検出（撮像）した投写画像を記憶する撮像画像メモリ１３０を備えている。また、プロジェクタ３は、撮像画像メモリ１３０に記憶される撮像画像を処理する画像処理部２０と、処理した撮像画像をズームレンズ６１のズーム倍率（ズームデータ）として処理する制御部７０とを備えている。プロジェクタ３は、ズーム検出部１２０とズーム処理部（撮像画像メモリ１３０、画像処理部２０、制御部７０）でズーム取得手段を構成している。
【０１１８】
図９は、本実施形態の実物大の投写を行なう動作手順を示すフローチャートである。図８、図９を参照して、本実施形態における実物大投写を行なう動作手順に関し、工程を含めて説明する。
【０１１９】
本実施形態のプロジェクタ３は、第１実施形態および第２実施形態と同様に、投写対象面としてのスクリーン２００に実物大の投写を行なわせるための対象物Ｔ（パソコンＴ１）および補助対象物Ｍ１を投写しているものとする（図５（ａ）参照）。そして、図９は、ユーザのリモコン装置９１からの入力操作による入力信号を、制御部７０が、投写されている画像の中の対象物Ｔおよび補助対象物Ｍを所定の大きさ（実物大）で投写させるための入力として判断した場合の、それ以降の動作手順を示している。また、ユーザにより、ズームレンズ６１を手動で回動して投写サイズを設定し、フォーカスレンズ６２を手動で回動して投写画像の焦点調整が行なわれているものとする。
【０１２０】
また、図６に示す第２実施形態での動作手順を示すフローチャートと同様の部分に関しては、適宜、簡単な説明または説明を省略する。
【０１２１】
ステップＳ３００とステップＳ３０１では、図６に示すステップＳ２００およびステップＳ２０１と同様に、距離取得手段（距離検出部８０の反射型赤外センサおよび距離処理部（ＣＰＵ７１））で、スクリーン２００までの距離データを取得する。次に、ステップＳ３０２に移行する。
【０１２２】
なお、ステップＳ３００は、距離検出工程に対応し、ステップＳ３０１は、距離処理工程に対応する。また、距離検出工程と距離処理工程とにより距離取得工程が構成される。
【０１２３】
ステップＳ３０２では、ＣＰＵ７１は、ズーム検出部１２０のＣＣＤカメラを駆動させて、スクリーン２００に投写されている投写画像を撮像する。そして、撮像された投写画像をズーム情報として撮像画像メモリ１３０に記憶させていく。そして、ＣＰＵ７１は、その記憶した画像データに対して、画像処理部２０に解析させて、投写サイズをズーム情報として検出する。次に、ステップＳ３０３に移行する。
【０１２４】
ステップＳ３０３では、ＣＰＵ７１は、検出した投写サイズに対して、ＲＡＭ７３に記憶される投写サイズとズームレンズ６１のズーム倍率との対応を示すテーブルを読み込み、検出した投写サイズ（ズーム情報）に対応するズームレンズ６１のズーム倍率（ズームデータ）を演算（算出）する。次に、ステップＳ３０４に移行する。
【０１２５】
なお、ステップＳ３０２は、ズーム検出工程に対応し、ステップＳ３０３は、ズーム処理工程に対応する。また、ズーム検出工程とズーム処理工程とにより、ズーム取得工程が構成される。
【０１２６】
ステップＳ３０４とステップＳ３０５では、図６に示すステップＳ２０４およびステップＳ２０５と同様に、対象物取得手段（対象物検出部および対象物処理部、として動作する画像処理部２０）で、画像情報から所定の対象物Ｔ（パソコンＴ１）を検出して対象物データ（液晶パネル５０の画像サイズに対する対象物Ｔ（パソコンＴ１）の画像サイズ）を取得する。次に、ステップＳ３０６に移行する。
【０１２７】
また、ステップＳ３０４は、対象物検出工程に対応し、ステップＳ３０５は、対象物処理工程に対応する。また、対象物検出工程と対象物処理工程とにより、対象物取得工程が構成される。
【０１２８】
ステップＳ３０６とステップＳ３０７では、図６に示すステップＳ２０６およびステップＳ２０７と同様に、補助対象物取得手段（補助対象物検出部および補助対象物処理部、として動作する画像処理部２０）で、画像情報から所定の補助対象物Ｍ１を検出して補助対象物データ（液晶パネル５０の画像サイズに対する補助対象物Ｍ１の画像サイズ）を取得する。次に、ステップＳ３０８に移行する。
【０１２９】
なお、ステップＳ３０６は、補助対象物検出工程に対応し、ステップＳ３０７は、補助対象物処理工程に対応する。また、補助対象物検出工程と補助対象物処理工程とにより、補助対象物取得工程が構成される。
【０１３０】
ステップＳ３０８からステップＳ３１１は、図６に示すステップＳ２０８からステップＳ２１１と同様となる。また、各工程も同様となる。
【０１３１】
ステップＳ３０８は、図６に示すステップＳ２０８と同様である。ステップＳ３０８では、ＣＰＵ７１は、大きさデータ取得部として動作を行なう。ＣＰＵ７１は、補助対象物記憶部としてのＲＡＭ７３から補助対象物Ｍ１と補助対象物Ｍ１の大きさデータとの対応を示すテーブルを読み込み、検出された補助対象物Ｍ１に対する大きさデータを取得する。具体的には、テーブルから、補助対象物Ｍ１に対応する大きさデータを読み込む。その大きさデータが、１０ｃｍである場合、１０ｃｍという大きさデータを取得する。
【０１３２】
なお、補助対象物記憶部としてのＲＡＭ７３には、第１実施形態および第２実施形態と同様に、予め補助対象物Ｍと補助対象物Ｍの大きさデータとの対応を示すテーブルなどが記憶されている。そして、テーブルは、各種の補助対象物Ｍと各々の補助対象物Ｍの所定の大きさを示すデータを記憶させている。本実施形態では、所定の大きさを補助対象物の実際の大きさに設定している。従って、補助対象物Ｍ１が１０ｃｍという補助対象物Ｍ１自体の大きさと一致させたテーブルとしているため、実物大の投写を行なうことになる。
【０１３３】
なお、上記のテーブルに補助対象物Ｍの大きさを記憶させる工程が、補助対象物記憶工程に対応する。また、ステップＳ３０８は、大きさデータ取得工程に対応する。
【０１３４】
ステップＳ３０９は、図６に示すステップＳ２０８と同様である。ステップＳ３０９では、ＣＰＵ７１は、画像制御部として動作を行なう。ＣＰＵ７１は、距離データ（スクリーン２００とプロジェクタ３との距離）と、ズーム倍率（ズームレンズ６１のズーム倍率）と、対象物データ（液晶パネル５０の画像サイズに対する対象物Ｔ（パソコンＴ１）の画像サイズ）と、補助対象物データ（液晶パネル５０の画像サイズに対する補助対象物Ｍ１の画像サイズ）と、補助対象物Ｍ１の大きさデータとを入力する。
【０１３５】
そして、ＣＰＵ７１は、距離データ、ズーム倍率、対象物データ、補助対象物データおよび大きさデータに基づいて、距離データで示す位置に設置されるスクリーン２００に対して、ズームレンズ６１のズーム倍率（投写サイズ）は変えずに、光変調装置としての液晶パネル５０上において、液晶パネル５０の画像サイズに対する対象物Ｔ（パソコンＴ１）の画像サイズを変える（ズームする）。
【０１３６】
そのために、ＣＰＵ７１は、補助対象物Ｍ１が補助対象物Ｍ１の大きさデータと略一致する大きさとなるようにスクリーン２００へ投写させるための、液晶パネル５０の画像サイズに対する補助対象物データの画像サイズのズームデータ（ズーム倍率）を演算（算出）する。なお、ステップＳ３０９は、画像制御工程に対応する。
【０１３７】
次に、ステップＳ３１０は、図６に示すステップＳ２１０と同様である。ステップＳ３１０では、画像処理部２０は、画像補正部として動作を行なう。画像処理部２０は、画像制御部（ＣＰＵ７１）で算出した液晶パネル５０の画像サイズに対する補助対象物Ｍ１の画像サイズのズーム倍率に基づき、現在の対象物Ｔ（パソコンＴ１）の画像サイズを、算出したズーム倍率となるように変更（画像補正）する。この際、対象物Ｔ（パソコンＴ１）を含んだ、設定される領域部分の画像サイズを変更する。
【０１３８】
なお、変更した対象物Ｔ（パソコンＴ１）を含んだ領域部分が、液晶パネル５０の画像サイズに比べて小さい場合には、その領域部分以外は投写結果が黒表示となる画像補正も行なっている。これらの画像補正した画像情報を画像補正用信号として液晶パネル駆動部３０に出力する。なお、ステップＳ３１０は、画像補正工程として画像制御工程に含まれる。次に、ステップＳ３１１に移行する。
【０１３９】
ステップＳ３１１は、図６に示すステップＳ２１１と同様である。ステップＳ３１１では、液晶パネル駆動部３０は、画像処理部２０での画像補正用信号に基づいて、液晶パネル５０を駆動し、液晶パネル５０の画像サイズに画像補正した結果となる対象物Ｔ（パソコンＴ１）を含む所定領域部分を表示させる。
【０１４０】
以上のフローの実行により、液晶パネル５０に表示される画像が、光源からの光束を変調して光学像を形成し、投写レンズ６０を介してスクリーン２００に投写されることにより、対象物Ｔ（パソコンＴ１）を含む所定領域が実物大で投写されることになる。この場合、所定領域部分以外は黒表示で投写される。また、本実施形態の実物大投写を説明する図は、第２実施形態での図７と同様となるため、図示および説明は省略する。
【０１４１】
上述した、実施形態によれば以下の効果が得られる。
（１）本実施形態のプロジェクタ３によれば、距離取得手段（距離検出部８０の反射型赤外センサおよび距離処理部（ＣＰＵ７１））で、スクリーン２００までの距離データを取得する。そして、ズーム取得手段（ズーム検出部１２０およびズーム処理部（撮像画像メモリ１３０、画像処理部２０、ＣＰＵ７１））で、投写レンズ６０（ズームレンズ６１）のズームデータ（ズーム倍率）を取得する。それ以降は、第２実施形態と同様の構成により、効率的に、対象物Ｔ（パソコンＴ１）を含む所定領域に対し、対象物Ｔ（パソコンＴ１）を略実物大で投写させることが可能なプロジェクタ３が実現する。
【０１４２】
（２）第２実施形態と同様の工程により、効率的に、対象物Ｔ（パソコンＴ１）を含む所定領域に対し、対象物Ｔ（パソコンＴ１）を略実物大で投写させることが可能な実物大投写方法が実現する。
【０１４３】
（３）本実施形態のプロジェクタ３によれば、距離検出部８０に距離センサ（反射型赤外センサ）、ズーム検出部１２０に撮像センサ（ＣＣＤカメラ）を有することにより、確実にスクリーン２００までの距離情報を検出し、スクリーン２００に投写されている投写サイズを検出することによりズームレンズ６１のズーム情報を検出することができる。
【０１４４】
（４）本実施形態のプロジェクタ３によれば、補助対象物Ｍの大きさデータを補助対象物記憶部に記憶させることにより、対象物Ｔを補助対象物Ｍの大きさデータを基準として投写させることができる。また、本実施形態では、補助対象物Ｍ１を用いて、対象物Ｔ（パソコンＴ１）に対して実物大の大きさの基準としている。補助対象物Ｍの大きさデータは、メジャーとして初期的に適宜設定することができ、対象物Ｔの形状に左右されずに、ズームデータを演算するための基準として利用することができる。
【０１４５】
（５）本実施形態のプロジェクタ３によれば、補助対象物Ｍを数種類用意することにより、対象物Ｔを所定の大きさで投写させることができる。従って、補助対象物記憶部に有するテーブルの容量も少なくて良い。また、効率的に、対象物Ｔ（パソコンＴ１）を所定の大きさ（本実施形態では、実物大）で投写させることができる。
【０１４６】
（６）本実施形態のプロジェクタ３によれば、対象物Ｔを所定の大きさ（本実施形態では、実物大）で投写するための入力部（スイッチキー）をリモコン装置９１などに設定することができる。そして、ユーザが、投写されている画像の中の対象物Ｔを所定の大きさ（本実施形態では、実物大）の大きさで投写させたい場合には、その所定大きさ投写用のスイッチキーを押下することにより、目視での調整などは必要なく、簡単で確実に、対象物Ｔ（パソコンＴ１）を所定の大きさ（本実施形態では、実物大）で投写させることができる。従って、効率的なプレゼンテーションなどを行なうことができる。
【０１４７】
なお、本発明は、上述した実施形態に限定されず、種々の変更や改良などを加えることが可能である。変形例を以下に述べる。
【０１４８】
（変形例１）前記実施形態では、補助対象物Ｍと補助対象物Ｍの所定の大きさを示すデータを記憶するテーブルにおいて、補助対象物Ｍを形成する辺の実際の長さを所定の大きさとして補助対象物Ｍに対応させて記憶させている。これにより、対象物Ｔ（パソコンＴ１）に対して、実物大（１倍）の大きさで投写させている。従って、効率的に対象物Ｔ（パソコンＴ１）を実物大の大きさで投写させることが可能なプロジェクタ１，２，３および投写方法を実現している。
しかし、これに限らず、補助対象物Ｍの辺の実際の長さの半分（１／２）の長さを補助対象物Ｍの大きさとしてテーブルに記憶させることにより、本発明を適用すると、対象物Ｔ（パソコンＴ１）は、２倍の大きさとして投写することができる。また、補助対象物Ｍの辺の実際の長さの１／３の長さを補助対象物Ｍの大きさとしてテーブルに記憶させることにより、対象物Ｔ（パソコンＴ１）は、３倍の大きさとして投写することができる。
このように補助対象物Ｍの大きさとして、実際の長さに対して、１／２倍、１／３倍、または、２倍、３倍の長さとしてテーブルに記憶させることにより、対象物Ｔは、２倍、３倍、または、１／２倍、１／３倍として投写させることができる。従って、テーブルにおいて、補助対象物Ｍに対する大きさを適宜変更することによって、所定の大きさとして対象物Ｔを投射することができる。これにより、効率的に対象物Ｔを所定の大きさで投写させることが可能なプロジェクタおよび投写方法を実現できる。
【０１４９】
（変形例２）前記実施形態において、補助対象物Ｍとして、１０ｃｍのメジャーとしての補助対象物Ｍ１を用いている。しかし、これに限らず、補助対象物Ｍ２（５０ｃｍ用）、補助対象物Ｍ３（１００ｃｍ用）を用いても良い。なお、補助対象物Ｍは、対象物Ｔの大きさに略近いものを使用することにより、投写された時の対象物Ｔの大きさと、所定の大きさとの誤差を少なくすることができる。
【０１５０】
（変形例３）前記実施形態において、補助対象物Ｍは、矩形の形状を有し、特定の部位に丸孔Ｈを有して形成されている。そして、相対する辺の１組は長さを変えずに、他の１組の辺の長さを補助対象物Ｍ毎に異なるように設定している。しかし、補助対象物Ｍは、このような形状に限られず、簡易な形状で認識し易い物であれば、適宜形状を設定することができる。
【０１５１】
（変形例４）第１実施形態では、ステップＳ１０６において、ＣＰＵ７１は、ズームレンズ駆動部１００を駆動して、初期設定位置にズームレンズ６１を移動させている。その後、ステップＳ１０７において、ＣＰＵ７１は、ズームレンズ駆動部１００を駆動し、算出したズーム倍率となるように、ズームレンズ６１を移動させている。しかし、これに限らず、ズームレンズ位置検出部１１０で、現在投写されている投写サイズ（図５（ａ）に示す投写サイズＡ）に対応したズーム倍率をデータとして読み込み、算出したズーム倍率となるための補正量を演算（算出）することでも良い。以下に詳細な説明を行なう。
【０１５２】
ＣＰＵ７１は、補正処理部として動作を行なう。ＣＰＵ７１は、画像制御部（ＣＰＵ７１）で算出したズーム倍率に基づき、現在のズーム倍率から、算出したズーム倍率に変更させるための補正量を演算（算出）する。具体的には、現在のズーム倍率が５倍であり、算出した倍率が３倍であった場合、ＣＰＵ７１は、５倍のズーム倍率を３倍のズーム倍率に補正するためには、ロータリーエンコーダに対して、どの程度の補正量（現在のズームレンズ６１位置に対してのズームレンズ６１の移動量）が必要かを演算（算出）する。なお、このような補正量の算出を補正処理工程とした場合、補正処理工程は、画像制御工程に含まれる。
【０１５３】
次に、ＣＰＵ７１は、ズームレンズ駆動部１００に対して、算出した補正量に対応する信号を出力する。そして、ズームレンズ駆動部１００は、入力した補正量の信号に対応して、ズームレンズ６１を駆動（ズームレンズ６１を移動）することで実現する。
【０１５４】
このような処理を行なうことにより、ステップＳ１０６を行なうことなく、スムースに現在の投写サイズ（図５（ａ）で示す投写サイズＡ）から、算出したズーム倍率に対応する投写サイズ（図５（ｂ）で示す投写サイズＢ）に変更させることができる。
【０１５５】
（変形例５）前記変形例４において、ズーム検出部（ズームレンズ位置検出部１１０）にロータリーエンコーダを備えているが、ズームレンズ位置検出部１１０として、第３実施形態のズーム検出部１２０に備えた撮像センサとしてのＣＣＤカメラを備えることでも良い。
その際、投写サイズの検出は、第３実施形態と同様に行ない、また、画像制御部（ＣＰＵ７１）により、距離データと補助対象物データと大きさデータとに基づいて、補助対象物Ｍ１が補助対象物Ｍ１の大きさデータと略同一となる（略一致させる）ように投写させるための、ズームレンズ６１に対するズーム倍率（ズームデータ）を演算（算出）する。そして、ズームレンズ駆動部１００がズームレンズ６１を駆動させながら画像を投写する。そして、投写した投写画像（投写サイズ）を、ＣＣＤカメラで順次取み込み、画像処理部２０で解析し、解析した結果が、算出したズーム倍率となったか否かを画像制御部（ＣＰＵ７１）が判断しながらズームレンズ駆動部１００を制御することにより、対象物Ｔを所定の大きさで投写させることができる。
【０１５６】
（変形例６）前記実施形態において、対象物Ｔを実物大で投写した場合に、スクリーン２００内におさまる投写サイズとなっている。しかし、これに限らず、対象物Ｔを実物大で投写した場合に、投写サイズがスクリーン２００よりも大きくなる場合がある。そのため、大きさの限られたスクリーン２００を使用する場合と、スクリーン２００よりも広い壁面などを投写対象面として使用する場合とを、対象物Ｔの実物大の大きさに応じて適宜選択することが良い。
例えば、対象物Ｔとして、車や家具などを実物大投写する場合などでは、投写対象物として壁面などを利用して投写することが良く、限られたスペースの中で、実物がなくても実物大の大きさを確認することができるため、本発明を使用することの効果が極めて高くなる。なお、対象物Ｔを所定の大きさで投写する場合にも同様となる。
【０１５７】
（変形例７）前記第２実施形態において、実物大投写は、画像に含まれる対象物Ｔを含む所定領域としているが、この所定領域は、実物大投写される前の投写されている画像全体を所定領域としても良いし、画像全体ではなく対象物Ｔのみは含む領域を所定領域としても良い。なお、対象物Ｔを所定の大きさで投写する場合にも同様となる。
【０１５８】
（変形例８）前記第２実施形態において、画像処理部２０が、画像補正部として動作を行なった場合、変更した対象物Ｔを含んだ領域部分が、液晶パネル５０の画像サイズに比べて小さい場合には、その領域部分以外は投写結果が黒表示（領域Ｄ）となる画像補正を行なっている。しかし、実物大の投写をさせる対象物Ｔを含んだ領域部分が、液晶パネル５０の画像サイズに比べて大きくなる場合には、液晶パネル５０には、対象物Ｔ全体を表示せず、対象物Ｔの部分を表示する画像補正としても良い。これにより、スクリーン２００には、対象物Ｔ全体が投写されず、対象物Ｔの部分が投写される。なお、対象物Ｔを所定の大きさで投写する場合にも同様となる。
【０１５９】
（変形例９）前記実施形態では、距離検出部８０に距離センサとして、反射型赤外センサを備えているが、超音波やレーザを用いたセンサを備えても良い。
【０１６０】
（変形例１０）前記第１、第２実施形態では、ズームレンズ位置検出部１１０にズームレンズ６１の移動位置を検出する位置センサとしてロータリーエンコーダを備えているが、リニアエンコーダを備えても良い。
【０１６１】
（変形例１１）前記第３実施形態では、ズーム検出部１２０に撮像センサとして、ＣＣＤカメラ（ＣＣＤイメージセンサ）を備えているが、ＣＭＯＳ（Complementary Metal Oxide Semiconductor）イメージセンサを備えても良い。
【０１６２】
（変形例１２）前記実施形態において、距離取得手段では、距離センサを備えている。しかし、距離取得手段として、スクリーン２００とプロジェクタ１，２，３との距離を、ユーザがリモコン装置９１などにより入力しても良い。
【０１６３】
（変形例１３）前記第２、第３実施形態において、ズーム取得手段では、位置センサ、撮像センサを備えている。しかし、ズームレンズ６１のズーム倍率を、ユーザがリモコン装置９１などにより入力しても良い。前記変形例４においても同様である。
【０１６４】
（変形例１４）前記実施形態において、光変調装置としての液晶パネル５０は、透過型の液晶パネル５０を用いているが、反射型の液晶パネルなど、反射型の光変調素子を用いることも可能である。また、入射した光の射出方向を、画素としてのマイクロミラー毎に制御することにより、光源から射出した光束を変調する微小ミラーアレイデバイスなどを用いても良い。
【０１６５】
（変形例１５）前記実施形態のプロジェクタ１，２，３は、フロントタイプのプロジェクタとして本発明を適用しているが、投写対象面としてのスクリーンを一体で有するリアタイプのプロジェクタにも適用できる。この場合、距離取得手段での距離データや、ズーム取得手段でのズームデータはリアタイプのプロジェクタの仕様で所定の値に設定されることになる。また、ズームレンズ６１を搭載しないフロントタイプのプロジェクタにおいても同様に適用できる。
【図面の簡単な説明】
【０１６６】
【図１】本発明の第１実施形態に係るプロジェクタの概略構成図。
【図２】補助対象物を示す平面図であり、（ａ）は１０ｃｍの補助対象物を示す平面図であり、（ｂ）は５０ｃｍの補助対象物を示す平面図であり、（ｃ）は１００ｃｍの補助対象物を示す平面図。
【図３】対象物と補助対象物とを含んだ画像の例示図。
【図４】実物大の投写を行なう動作手順を示すフローチャート。
【図５】実物大の投写を説明する図であり、（ａ）は最初に投写されている状態を示す図であり、（ｂ）は実物大の投写を行なった状態を示す図。
【図６】本発明の第２実施形態に係る実物大の投写を行なう動作手順を示すフローチャート。
【図７】実物大の投写を説明する図であり、（ａ）は最初に投写されている状態を示す図であり、（ｂ）は実物大の投写を行なった状態を示す図。
【図８】本発明の第３実施形態に係るプロジェクタの概略構成図。
【図９】実物大の投写を行なう動作手順を示すフローチャート。
【符号の説明】
【０１６７】
１，２，３…プロジェクタ、１０…Ａ／Ｄ変換部、２０…画像処理部、３０…液晶パネル駆動部、４０…照明光学系、５０…液晶パネル、６０…投写レンズ、６１…ズームレンズ、６２…フォーカスレンズ、７０…制御部、７１…ＣＰＵ、７２…ＲＯＭ、７３…ＲＡＭ、８０…距離検出部、９０…リモコン制御部、９１…リモコン装置、１００…ズームレンズ駆動部、１１０…ズームレンズ位置検出部、１２０…ズーム検出部、１３０…撮像画像メモリ、２００…スクリーン、Ｍ…補助対象物、Ｔ…対象物。
【図１】
2008233465.tif 000003
【図２】
2008233465.tif 000004
【図３】
2008233465.tif 000005
【図４】
2008233465.tif 000006
【図５】
2008233465.tif 000007
【図６】
2008233465.tif 000008
【図７】
2008233465.tif 000009
【図８】
2008233465.tif 000010
【図９】
2008233465.tif 000011